(57)【要約】【課題】各種サイズのテレビを安定に載置し、機能面およびデザイン面で優れた機器搭載台と画像表示システムを提供することを目的とするものである。【解決手段】台座部２４を備えた支持スタンド２２に支持された薄型テレビ２０を載置する機器搭載台１０であって、台座部２４を載置する搭載台本体１１と、搭載台本体１１に設けて搭載台本体１１に載置された台座部２４の少なくとも一部を覆う台座部カバー１２とを備えることにより、台座部２４を台座部カバー１２によって囲み覆うことによって支持スタンド２２を安定に保持することが可能となり、支持スタンド２２に固定した各種サイズのテレビや、台座部２４の形状が異なる支持スタンド２２に対しても対応が可能となる。【選択図】図１
2009171087.tif 000002
【特許請求の範囲】
【請求項１】
台座部を備えた支持スタンドに支持された画像表示装置を載置する機器搭載台であって、
前記台座部を載置する搭載台本体と、前記搭載台本体に設けて前記搭載台本体に載置された前記台座部の少なくとも一部を覆う台座部カバーとを備えた機器搭載台。
【請求項２】
前記搭載台本体には前記搭載台本体の上で回動する回転台を備え、前記台座部を前記回転台に載置することを特徴とする請求項１に記載の機器搭載台。
【請求項３】
前記台座部カバー、前記搭載台本体、または前記台座部の少なくともひとつに前記台座部の位置を位置決めする位置規制手段を設けたこと特徴とする請求項１または請求項２に記載の機器搭載台。
【請求項４】
前記位置規制手段が前記台座部を押圧する前記台座部カバーに設けた押圧手段であることを特徴とする請求項３に記載の機器搭載台。
【請求項５】
前記位置規制手段が前記台座部の端部を固定する前記搭載台本体に設けた固定部材であることを特徴とする請求項３に記載の機器搭載台。
【請求項６】
前記位置規制手段が前記台座部と前記台座部カバーとを嵌合させる前記台座部カバーに設けた嵌合部であることを特徴とする請求項３に記載の機器搭載台。
【請求項７】
請求項１から請求項６のいずれか１項に記載の機器搭載台と、前記支持スタンドに支持固定された画像表示装置とを備えた画像表示システム。
【請求項８】
前記支持スタンドに前記画像表示装置の表示方向を変更する表示方向調整手段を備えたことを特徴とする請求項７に記載の画像表示システム。
【発明の詳細な説明】
【技術分野】
【０００１】
本発明はテレビなどの画像表示装置を載置する機器搭載台とそれを用いた画像表示システムに関する。
【背景技術】
【０００２】
従来、テレビなどの画像表示装置は、それらの装置が搭載可能な家具や、その装置専用に作製された機器搭載台などに搭載して使用されていた。
【０００３】
近年、液晶テレビやプラズマテレビなどの薄型テレビの普及、画面サイズの大型化に伴い、それらの画像表示装置の機器搭載台も大型化している。一方、これらの機器搭載台を住宅内の居住空間に配置する場合には、機器搭載台には家具として部屋との調和を図れることや搭載する機器との一体感のあるデザインであることなどが要求される。また、機器搭載台を家具と調和がとれた配置にし、なおかつテレビは最適視聴が可能なように表示方向を変更できるようにすることが要求される。さらに、また、大画面、薄型のテレビの普及に伴い、機器搭載台に載置したテレビの安定性が求められている。
【０００４】
一方、画面サイズが小型のテレビなどでは、テレビにスタンドを設けて機器搭載台上に配置し、機器搭載台上でスタンドの向きを変更して表示方向を変更できるようにしたテレビジョン受像機が開示されている（例えば、特許文献１参照）。
【０００５】
また、テレビとそのテレビ専用の機器搭載台に関して、テレビと機器載置台との一体感を得る構成に関しても開示されている（例えば、特許文献２参照）。
【０００６】
さらに、テレビの安定性を高めるために、専用の機器搭載台として一体化するものや、テレビのスタンドを機器搭載台にバンドで固定する方法などが用いられている。図１５はこのような従来のテレビと機器搭載台との構成を示すテレビの背面側から観た斜視図である。薄型テレビ１００が機器搭載台１１０に載置されている。このとき、薄型テレビ１００は台座部１２０を備えた支持スタンド１３０に支持され、台座部１２０が機器搭載台１１０の天板部１４０に載置された構成である。また、図１５に示すように、背面側においては、天板部１４０と台座部１２０とが、例えばナイロン製などのバンド１５０によって固定されて薄型テレビ１００の転倒を防止するようにしている。
【特許文献１】特開２００６−３０４０７９号公報
【特許文献２】特開平５−３２８２６４号公報
【発明の開示】
【発明が解決しようとする課題】
【０００７】
近年の、液晶テレビやプラズマテレビなどの大画面化、薄型化の進展に伴い、各種サイズ、あるいは、各種スタンド形状のテレビへの買い替え需要に対応する機器搭載台が求められる。さらには、それらのサイズに対応して最適視聴が可能なようにテレビの表示方向が可変であり、さらに大型化が進むことからテレビをより安定して機器搭載台に載置できることが求められる。
【０００８】
そこで、本発明は、各種サイズのテレビを安定に載置することが可能で表示方向の変更が容易であり、さらに、機器搭載台とテレビとが一体感を有する機器搭載台と画像表示システムを得ることを目的とする。
【課題を解決するための手段】
【０００９】
上記目的を達成するために、本発明の機器搭載台は、台座部を備えた支持スタンドに支持された画像表示装置を載置する機器搭載台であって、台座部を載置する搭載台本体と、搭載台本体に設けて搭載台本体に載置された台座部の少なくとも一部を覆う台座部カバーとを備えている。
【００１０】
このような構成により、支持スタンドの台座部を台座部カバーによって覆うことによって台座部を安定に保持することが可能となり、支持スタンドに固定した各種サイズのテレビや、各種の台座部の形状に対しても対応が可能となる。また、台座部カバーによって台座部を覆う構成としているために、搭載台本体と支持スタンドとを一体感を持たせるように構成することができる。
【００１１】
さらに、搭載台本体には搭載台本体の上で回動する回転台を備え、台座部を回転台に載置してもよい。このような構成によれば、大型のテレビなどであっても台座部を台座部カバー内で回動させ、支持スタンドに固定されたテレビなどの表示方向を容易に可変することができ、視聴者の配置や部屋の間取りや家具の配置などにあわせた最適な視聴方向を容易に得ることができる。
【００１２】
さらに、台座部カバー、搭載台本体、または台座部の少なくともひとつに台座部の位置を位置決めする位置規制手段を設けることが望ましい。このような構成によれば、所定の視聴方向にあわせて位置決めをすることができ、さらに、搭載台本体と台座部とを固定して安定にすることができる。
【００１３】
さらに、位置規制手段が台座部を押圧する台座部カバーに設けた押圧手段であってもよい。このような構成によれば、簡単な構成で台座部の位置決めができるとともに台座部カバーと台座部とを固定することができる。
【００１４】
さらに、位置規制手段が台座部の端部を固定する搭載台本体に設けた固定部材であってもよい。このような構成によれば、簡単な構成で台座部の位置決めができるとともに、固定部材を台座部カバー内に覆って外観を損ねることがない。
【００１５】
さらに、位置規制手段が台座部と台座部カバーとを嵌合させる台座部カバーに設けた嵌合部であってもよい。このような構成によれば、ビスなどの部材を必要とせずに簡単な構成で台座部の位置決めができる。
【００１６】
また、本発明の画像表示システムは、上記の機器搭載台と、支持スタンドに支持固定された画像表示装置とを備えている。このような構成によれば、各種サイズのテレビを安定に載置することが可能であり、さらに、機器搭載台とテレビとが一体感を有する画像表示システムを実現することができる。
【００１７】
さらに、支持スタンドに画像表示装置の表示方向を変更する表示方向調整手段を備えてもよい。このような構成によれば、画像表示装置の表示方向を容易に可変することができ、視聴者の配置と部屋の間取りや家具の配置にあわせて最適な視聴方向を容易に得ることができる。
【発明の効果】
【００１８】
以上のように、本発明の機器搭載台および画像表示システムによれば、大画面で各種サイズのテレビなどの画像表示装置を安定に載置することが可能であり、さらに、機器搭載台とテレビとが一体感を有する機器搭載台と画像表示システムを実現することができる。
【発明を実施するための最良の形態】
【００１９】
以下、本発明の実施の形態について、図面を参照しながら説明する。
【００２０】
（実施の形態１）
図１は、本発明の実施の形態１における画像表示システムの構成を示す斜視図である。
【００２１】
図１に示すように、機器搭載台１０に画像表示装置としての液晶テレビやプラズマテレビなどの薄型テレビ２０が載置されている。機器搭載台１０は搭載台本体１１と台座部カバー１２とにより構成されている。搭載台本体１１は天板部１３、底板部１４、脚部１５、さらにはビデオなどを収納するラック部１６により構成されている。また、搭載台本体１１の天板部１３には、台座部カバー１２が天板部１３の上面の略全領域を覆うように、かつ、天板部１３に固定して設けられている。また、薄型テレビ２０はテレビ本体部２１と、テレビ本体部２１の下部に設けられた支持スタンド２２により構成され、さらに、支持スタンド２２は支柱部２３と台座部２４とにより構成されている。
【００２２】
薄型テレビ２０の台座部２４が機器搭載台１０の天板部１３と台座部カバー１２との間の空間に嵌りこむよう配置され、台座部カバー１２が台座部２４の少なくとも一部を覆うようにしている。また、台座部カバー１２には支持スタンド２２の支柱部２３が通る切欠き部１７が設けられている。
【００２３】
図２は、薄型テレビ２０の構成を示す斜視図であり、薄型テレビ２０の上部を省略して示している。薄型テレビ２０はテレビ本体部２１と、テレビ本体部２１の下部に設けられた支持スタンド２２により構成されている。
【００２４】
図２（ａ）、図２（ｂ）、図２（ｃ）には支持スタンド２２の台座部２４の各種形状を示し、テレビ本体部２１の画面サイズなどの違いにより、角型形状の台座部２４ａ、楕円型形状の台座部２４ｂ、ひし形形状の台座部２４ｃなどのデザインが考えられる。
【００２５】
図３は、本発明の実施の形態１における機器搭載台１０への支持スタンド２２の載置状態を示す断面図である。図３に示すように、搭載台本体１１の天板部１３に設けた台座部カバー１２は、天板部１３との間に台座部２４が嵌まり合う空間を有し、天板部１３に載置された台座部２４の少なくとも一部が台座部カバー１２で覆われるようにしている。また、図３に示すように、台座部カバー１２と天板部１３とにより形成される空間は、搭載台本体１１の後面側Ａから前面側Ｂに楔形状となるように構成されている。また、台座部２４も同様の形状となるように構成して台座部カバー１２に台座部２４が嵌まり合うようにしている。
【００２６】
また、図３および図１に示すように、搭載台本体１１を前面側Ｂから観たときに天板部１３と台座部カバー１２との間に空間がないようにしている。したがって、機器搭載台１０に薄型テレビ２０を載置して前面側Ｂから観た場合に、機器搭載台１０の本体と台座部カバー１２とが一体化して視認される構成としている。
【００２７】
また、図３に示すように、台座部２４と台座部カバー１２との間に、台座部２４が台座部カバー１２内で回動、すなわち移動が可能なように所定の隙間Ｄを設けるようにしている。この隙間Ｄは大きくする必要はなくわずかな寸法でよいが、台座部２４と台座部カバー１２との間でがたつきがない程度でよい。
【００２８】
このような構成の機器搭載台１０に支持スタンド２２を載置するには、支持スタンド２２の支柱部２３が台座部カバー１２の切欠き部１７を通るように、台座部２４を搭載台本体１１の後面側Ａから前面側Ｂに台座部カバー１２内に挿入するだけでよい。
【００２９】
したがって、機器搭載台１０の台座部カバー１２内に支持スタンド２２の台座部２４を所定の位置まで挿入して固定し、その後、支持スタンド２２の支柱部２３にテレビ本体部２１を固定するだけで画像表示システムを簡単に実現することができる。
【００３０】
一方、このようにして機器搭載台１０に固定した薄型テレビ２０は、図１５に示すような従来の固定方法に比べ、さらに地震などの揺れに対して強い安定性を確保することができる。すなわち、本発明の実施の形態１における機器搭載台１０および画像表示システムによれば、図１に示すように、台座部２４は搭載台本体１１の天板部１３と一体となった台座部カバー１２内に嵌まり合って固定されている。そのため、どの方向の揺れに対しても機器搭載台１０に対して薄型テレビ２０を安定に保持することが可能となり、薄型テレビ２０の転倒などを抑止することができる。
【００３１】
また、本発明の実施の形態１における機器搭載台１０によれば、買い替えなどによって薄型テレビ２０の画面サイズや、ディスプレイの種類が変わった場合には、台座部カバー１２の空間の形状にあわせて台座部２４を設計するだけで機器搭載台１０としては共用で使用可能となる。
【００３２】
なお、機器搭載台１０に支持スタンド２２を含ませて標準とし、薄型テレビ２０のサイズ変更などの際には支持スタンド２２の支柱部２３に薄型テレビ２０を取り付けて固定するようにすると、薄型テレビ２０の各種の変更にも対応が可能となる。なお、この場合には、支持スタンド２２の台座部２４と支柱部２３は大型の薄型テレビ２０でも対応可能な構成としておくだけでよく、薄型テレビを安定に保持する機器搭載台を供給することができる。
【００３３】
（実施の形態２）
実施の形態１では、薄型テレビを機器搭載台と略平行に設置した場合について述べた。しかしながら、このような機器搭載台を住宅内の居住空間に配置する場合には、家具として他の家具配置との調和を図れることや、そのときに視聴者にとって最適視聴が可能なように表示方向を変更できるようにすることが要求される。
【００３４】
そこで、本発明の実施の形態２では、薄型テレビの表示方向を変更する場合の本発明の機器搭載台および画像表示システムについて説明する。
【００３５】
図４は本発明の実施の形態２における画像表示システムの薄型テレビの表示方向変更方法について説明する斜視図であり、薄型テレビ２０の支持スタンド２２とテレビ本体部２１とが別々に動くことが可能な場合について示している。すなわち、支持スタンド２２の支柱部２３、または、画像表示装置であるテレビ本体部２１の少なくとも一方に、表示方向を変更する表示方向調整手段としての回転部（図示せず）が設けられている。この場合には、台座部２４が動かずにテレビ本体部２１を矢印Ｃに示す方向に回動して、二点鎖線で示す方向にテレビ本体部２１の向きを回動できる構成である。
【００３６】
図５は、本発明の実施の形態２における画像表示システムの構成を示す斜視図である。すなわち、図５に示すように、本発明の実施の形態２では、薄型テレビ２０の表示方向を変更する際には、台座部カバー１２内に嵌まり合って固定された台座部２４は動かず、テレビ本体部２１のみの向きを視聴者にとって最適な視聴方向に変更することができる。
【００３７】
したがって、実施の形態１と同様に、台座部２４は機器搭載台１０の天板部１３と一体となった台座部カバー１２内に嵌まり合って固定されている。そのため、テレビ本体部２１が機器搭載台１０と平行にならずに機器搭載台１０とテレビ本体部２１とでバランスが崩れた状態でも、揺れに対する安定性を保持しテレビ本体部２１の転倒などを抑止することができる。したがって、他の家具の再配置によって薄型テレビの表示方向を変える場合でも、常に安定した状態で任意にその方向を変更することができる。
【００３８】
なお、図４では台座部２４の形状が角型形状である場合について示し、図５では楕円型形状の場合について示している。
【００３９】
（実施の形態３）
本発明の実施の形態３では、薄型テレビの表示方向を変更する場合の実施の形態２と異なる機器搭載台および画像表示システムについて説明する。
【００４０】
図６は本発明の実施の形態３における画像表示システムの薄型テレビの表示方向変更方法について説明する斜視図である。台座部２４と支柱部２３よりなる支持スタンド２２とテレビ本体部２１とが一体的に固定されており、テレビ本体部２１の向きを矢印Ｅに示す方向に変更する場合には、台座部２４と支柱部２３も同時に向きを変える場合について示している。
【００４１】
図７は、本発明の実施の形態３における画像表示システムの構成を示す斜視図である。
【００４２】
本発明の実施の形態３では、支持スタンド２２の支柱部２３および台座部２４と、テレビ本体部２１とが一体的に固定支持されているため、テレビ本体部２１の表示方向を変更するためには、台座部２４が天板部１３上で回動する必要がある。
【００４３】
本発明の機器搭載台では、台座部２４と台座部カバー１２との間に、台座部２４が台座部カバー１２内で回動、すなわち移動が可能なように所定の隙間を設けるようにしている。そのために、台座部２４を台座部カバー１２内で回動させ、一体となったテレビ本体部２１の表示方向を可変することができる。
【００４４】
なお、図６では台座部２４の形状が角型形状である場合について示し、図７では楕円型形状の場合について示しているが、本発明の実施の形態では、台座部２４の形状が支持スタンド２２の支柱部２３を中心軸とする円形の台座部２４であることが望ましい。すなわち、台座部２４が支柱部２３を回転中心として回転した場合に、台座部カバー１２と台座部２４との間隙が常に一定であるように構成することが望ましい。その場合には、テレビ本体部２１の表示方向を変えるために台座部２４を回動させた場合でも、台座部２４と台座部カバー１２とが常に一定の間隙で嵌まり合っていることになる。
【００４５】
そのため、テレビ本体部２１が機器搭載台１０と平行にならず、機器搭載台１０とテレビ本体部２１とでバランスが崩れた状態でも、揺れに対する安定性を保持しテレビ本体部２１の転倒などを抑止することができる。
【００４６】
また、図８は本発明の実施の形態３における機器搭載台の台座部２４と天板部との構成の詳細を示す断面図である。図８に示すように、天板部１３内に台座部２４の回動を補助するための表示方向調整手段としての回転台５０が設けられている。また、回転台５０は天板部１３に回転軸５１によって軸支されている。したがって、回転台５０上に載置された台座部２４に支持固定されたテレビ本体部２１に、わずかな向きを変える力を印加するだけで、容易にテレビ本体部２１の表示方向を変えることができる。
【００４７】
本発明の実施の形態によれば、薄型テレビの表示方向を容易に変え、さらに表示方向を変えて機器搭載台とテレビ本体部とでバランスが崩れた状態でも、揺れに対する安定性を保持してテレビ本体部の転倒などを抑止することができる。したがって、他の家具の再配置や視聴者の配置によって薄型テレビの表示方向を変える場合でも、常に安定した状態で容易かつ任意にその方向を変更することができる。
【００４８】
（実施の形態４）
前述の実施の形態１から実施の形態３では台座部を天板部と台座部カバーの間の空間に嵌め合わせるだけで固定する例について説明したが、本発明の実施の形態４では台座部を機器搭載台に固定する構成について説明する。
【００４９】
一般的に台座部は全ての領域でその厚みが一定でなく、特に支持スタンドの支柱部で厚みを最大として台座部の端部に向けてその厚みを少なくする構成として強度を確保する場合が多い。したがって、このような形状で、なおかつ角型形状や楕円型形状、あるいはひし形形状などにした場合には、台座部カバーを天板部に固定して設けているために、天板部上で台座部が回動すると台座部カバーと台座部との間隙が、台座部の全領域で異なり回動が不可能になる場合がある。
【００５０】
そこで、本発明の実施の形態４では、各種形状の台座部が天板部上で回動可能で、なおかつ台座部を機器搭載台に固定可能な構成について説明する。
【００５１】
図９は本発明の実施の形態４における機器搭載台１０の台座部２４を固定する構成を示す図であり、図９（ａ）は機器搭載台１０の平面図、図９（ｂ）は位置規制手段である押圧手段６０の詳細を示す断面図である。なお、本発明の実施の形態４では、台座部２４としては図２（ｃ）に示すひし形形状の台座部２４ｃを用いた場合について示している。また、図９（ａ）には機器搭載台１０の天板部１３と台座部カバー１２との間に台座部２４ｃが搭載された状態のみを示し、機器搭載台１０の他の構成要素については省略している。
【００５２】
本発明の実施の形態４において、台座部２４ｃは天板部１３上でその上部に搭載されているテレビ本体部２１（図示せず）の表示方向を変更するために回動するが、図９（ａ）ではテレビ本体部２１（図示せず）が機器搭載台１０と略平行に載置されている場合について示している。また、前述のようにこのような台座部２４ｃが天板部１３と台座部カバー１２の間で回動するためには、台座部２４と台座部カバー１２との間に十分な間隙を有していることが必要となる。
【００５３】
本発明の実施の形態４では、図９（ａ）、図９（ｂ）に示すように、台座部カバー１２の所定の位置に押圧手段６０を設けている。台座部カバー１２と一体となった押圧手段６０によって台座部２４ｃを押圧して、台座部２４ｃを機器搭載台１０と固定している。なお、本発明の実施の形態４では押圧手段６０を２箇所に設けた構成としているが、その場所、個数は任意に設定することができる。
【００５４】
図９（ｂ）に示すように、押圧手段６０は台座部カバー１２に固定された筒状部材６１と、筒状部材６１内に配置したばね部材６２と、筒状部材６１の先端部に配置して筒状部材６１から突出する押圧部材６３とを備えている。すなわち、先端部の押圧部材６３がばね部材６２の弾性力によって台座部２４ｃを押圧固定するようにしている。したがって、ばね部材６２によって押圧部材６３に押圧力が印加されるとともに、台座部カバー１２から押圧部材６３の先端部までの距離を調整することができるため、押圧手段６０によって押圧された状態で台座部２４ｃの向きを変えることが可能となる。
【００５５】
すなわち、台座部カバー１２と台座部２４の上面との間に、台座部２４が天板部１３上で回動が可能な十分な間隙を設け、さらに回動によってその間隙が変化しても、ばね部材６２によってそれぞれの間隙にあわせて台座部２４を押圧することができる。
【００５６】
なお、図９（ｂ）では、台座部カバー１２に押圧手段６０が一体となった構成を示しているが、例えば、台座部カバー１２に雌ねじ部を設け、その雌ねじ部を利用して雄ねじ部によって台座部２４を押圧固定する方法などとしてもよい。
【００５７】
なお、図９では台座部２４の平らな表面に押圧手段６０の押圧部材６３が押圧するとしたが、台座部２４の表面に押圧部材６３が入る凹みを所定間隔で設けていてもよい。例えば、１０°間隔で台座部２４の表面に凹みを設けることにより、台座部２４を１０°毎にきちんとした角度を出せることと、台座部２４の回動を抑制することができる。
【００５８】
（実施の形態５）
図１０は本発明の実施の形態５における機器搭載台の台座部を固定する構成を示す図であり、図１０（ａ）は機器搭載台１０の平面図、図１０（ｂ）は位置規制手段である固定部材７１の詳細を示す断面図である。なお、本発明の実施の形態５では、台座部としては図２（ｃ）に示すひし形形状の台座部２４ｃを用いた場合について示している。また、図１０（ａ）には機器搭載台１０の天板部１３と台座部カバー１２との間に台座部２４ｃが搭載された状態のみを示し、機器搭載台１０の他の構成要素については省略している。また、図１０では台座部２４ｃが所定角度だけ回動してテレビ本体部の表示方向を変えた場合について示している。
【００５９】
本発明の実施の形態５では、図１０（ａ）、図１０（ｂ）に示すように、台座部２４ｃを固定する固定部材７１を搭載台本体１１の天板部１３に設けている。すなわち、天板部１３には所定形状のスリット７０が設けられている。そのスリット７０に挿入されて天板部１３に固定されるビス部７２とそのビス部７２と螺合するナット部７３によって固定部材７１が構成されている。固定部材７１は、スリット７０内を移動が可能で、任意の位置に固定が可能な構成となっている。
【００６０】
このような構成によれば、固定部材７１を台座部カバー１２の外部に露出させる必要がない。なお、スリット７０は、台座部２４ｃの形状やテレビ本体部の表示方向を変更する際の台座部２４ｃの位置にあわせ、任意の位置あるいは任意の形状に設けることで対応が可能である。したがって、台座部２４ｃの位置、またはその向きを確実に固定することが可能となる。
【００６１】
なお、図１０には示していないが、例えば、固定部材７１のナット部７３に爪部を設け、一方、台座部２４ｃの端部にその爪部が入り込む溝部を設ける構成とすれば、台座部２４ｃと天板部１３とを強固に固定することも可能である。
【００６２】
（実施の形態６）
図１１は本発明の実施の形態６における機器搭載台の台座部を固定する構成を示す図であり、図１１（ａ）は機器搭載台１０の平面図、図１１（ｂ）は位置規制手段である嵌合部８０の詳細を示す断面図である。なお、本発明の実施の形態６では、台座部としては図２（ｂ）に示す楕円型形状の台座部２４ｂを用いた場合について示している。また、図１１（ａ）には機器搭載台１０の天板部１３と台座部カバー１２との間に台座部２４ｂが搭載された状態のみを示し、機器搭載台１０の他の構成要素については省略している。
【００６３】
本発明の実施の形態６では、図１１（ｂ）に示すように、台座部カバー１２に台座部２４ｂの先端部を中間嵌めなどの状態に嵌まり合う嵌合部８０を設けている。すなわち、台座部２４ｂと台座部カバー１２とは所定の間隙を設けるように構成しているが、嵌合部８０では、台座部２４ｂの端部が台座部カバー１２と強制的に嵌まり合うようにしている。したがって、台座部２４ｂを天板部１３に位置決めして載置した後に、テレビ本体部２１（図示せず）や支柱部２３を動かして嵌合部８０に台座部２４ｂの端部を嵌め合わせている。
【００６４】
なお、台座部カバー１２に設ける嵌合部の形状や位置は、台座部２４の形状や台座部２４の配置位置にあわせて任意に設けてもよいが、台座部２４の形状を円形とし、支柱部２３がその円の中心に位置するようにすることによって、台座部２４の角度が変わっても確実に固定することが可能となる。
【００６５】
なお、このような台座部２４を台座部カバー１２に嵌め合わせて位置を規制し固定する方法は、台座部２４が機器搭載台１０の天板部１３に固定され、支持スタンド２２の支柱部２３やテレビ本体部２１に回転部があるような場合に特に有効である。
【００６６】
（実施の形態７）
図１２は、本発明の実施の形態７における画像表示システムの構成を示す斜視図である。
【００６７】
図１２においては機器搭載台１０や薄型テレビ２０の基本構成は上述の実施の形態１と同様であるが、台座部カバー１２の構成が異なる。すなわち、実施の形態１では、図１に示すように、台座部カバー１２ａを天板部１３の略全領域にわたって設け、台座部２４も支柱部２３の領域を除いて略全領域を台座部カバー１２で覆う構成としていた。一方、本発明の実施の形態７では、図１２に示すように、台座部カバー１２ａは、天板部１３の前面側の領域にのみ設けて、台座部２４の前面側を覆い固定するように構成としている。この場合、台座部２４の構成としては、支柱部２３より前面側の領域の設置面積を大きくして安定に載置することが可能であり、さらに、機器搭載台１０と薄型テレビ２０とが一体感を有する画像表示システムを実現することができる。
【００６８】
さらに、このような台座部カバー１２ａの構成とすれば、台座部カバー１２ａに支柱部２３のための切欠き部を設ける必要がなく、さらには、台座部２４を天板部１３の長手方向に配置位置を調整することができる。
【００６９】
（実施の形態８）
図１３は、本発明の実施の形態８における画像表示システムの構成を示す斜視図である。
【００７０】
図１３においては機器搭載台１０や薄型テレビ２０の基本構成は上述の実施の形態１と同様であるが、台座部カバー１２の構成が異なる。本発明の実施の形態８では、図１３に示すように、台座部カバー１２ｂは、天板部１３の前面側の領域でなおかつ台座部２４の領域のみに設けて、台座部２４を覆い固定するように構成としている。
【００７１】
このような構成により、台座部カバー１２ｂを台座部２４の形状にあわせた形状とすることができ、台座部２４をより安定して固定することができる。
【００７２】
（実施の形態９）
図１４は、本発明の実施の形態９における画像表示システムの構成を示す斜視図である。
【００７３】
図１４においては機器搭載台１０や薄型テレビ２０の基本構成は上述の実施の形態１と同様であるが、台座部カバー１２の構成が異なる。すなわち、実施の形態１では、図１に示すように、台座部カバー１２と天板部１３とを別体として構成していた。本発明の実施の形態９では、図１４に示すように、台座部カバー１２ｃは、天板部１３を成型加工することによって形成され、台座部２４が成型加工された台座部カバー１２ｃ内に収納される構成としている。
【００７４】
このような構成により、台座部カバー１２ｃと天板部１３とを一体で加工できるとともに、機器搭載台と薄型テレビとの一体感をさらに向上させた画像表示システムを実現することができる。
【００７５】
以上のように、本発明の実施の形態によれば、台座部２４と搭載台本体２１とを確実に位置決めし固定することができるとともに、機器搭載台１０と薄型テレビ２０との一体感をさらに向上させた画像表示システムを実現することが可能である。
【産業上の利用可能性】
【００７６】
本発明に係る機器搭載台および画像表示システムは、薄型のテレビジョン受像機、モニターなどに用いることができる。
【図面の簡単な説明】
【００７７】
【図１】本発明の実施の形態１における画像表示システムの構成を示す斜視図
【図２】薄型テレビの構成を示す斜視図
【図３】本発明の実施の形態１における機器搭載台への支持スタンドの載置状態を示す断面図
【図４】本発明の実施の形態２における画像表示システムの薄型テレビの表示方向変更方法について説明する斜視図
【図５】同画像表示システムの構成を示す斜視図
【図６】本発明の実施の形態３における画像表示システムの薄型テレビの表示方向変更方法について説明する斜視図
【図７】同画像表示システムの構成を示す斜視図
【図８】本発明の実施の形態３における機器搭載台の台座部と天板部との構成の詳細を示す断面図
【図９】本発明の実施の形態４における機器搭載台の台座部を固定する構成を示す図
【図１０】本発明の実施の形態５における機器搭載台の台座部を固定する構成を示す図
【図１１】本発明の実施の形態６における機器搭載台の台座部を固定する構成を示す図
【図１２】本発明の実施の形態７における画像表示システムの構成を示す斜視図
【図１３】本発明の実施の形態８における画像表示システムの構成を示す斜視図
【図１４】本発明の実施の形態９における画像表示システムの構成を示す斜視図
【図１５】従来のテレビと機器搭載台との構成を示すテレビの背面側から観た斜視図
【符号の説明】
【００７８】
１０    機器搭載台
１１    搭載台本体
１２，１２ａ，１２ｂ，１２ｃ    台座部カバー
１３    天板部
１４    底板部
１５    脚部
１６    ラック部
１７    切欠き部
２０    薄型テレビ
２１    テレビ本体部
２２    支持スタンド
２３    支柱部
２４，２４ａ，２４ｂ，２４ｃ    台座部
５０    回転台
５１    回転軸
６０    押圧手段
６１    筒状部材
６２    ばね部材
６３    押圧部材
７０    スリット
７１    固定部材
７２    ビス部
７３    ナット部
８０    嵌合部
【図１】
2009171087.tif 000003
【図２】
2009171087.tif 000004
【図３】
2009171087.tif 000005
【図４】
2009171087.tif 000006
【図５】
2009171087.tif 000007
【図６】
2009171087.tif 000008
【図７】
2009171087.tif 000009
【図８】
2009171087.tif 000010
【図９】
2009171087.tif 000011
【図１０】
2009171087.tif 000012
【図１１】
2009171087.tif 000013
【図１２】
2009171087.tif 000014
【図１３】
2009171087.tif 000015
【図１４】
2009171087.tif 000016
【図１５】
2009171087.tif 000017